(57)【要約】【課題】取出部が落下し難い衛生用薄葉紙収納容器を提供する。【解決手段】衛生用薄葉紙Ｐを内部に収納する容器本体２と、容器本体２に着脱自在に取り付けられ、上面に第一孔部３１ｄが形成された蓋体３と、蓋体３に着脱自在に設けられ、容器本体２内部に収納された衛生用薄葉紙Ｐを取り出す取出孔４ａを備えた取出部４と、を備える衛生用薄葉紙収納容器１であって、蓋体３は、第一孔部３１ｄの下方に位置し、第一孔部３１ｄと重なるように取出部４の下面を下方に抜けないように保持する保持部３３を備える。【選択図】図２
2018052567.tif 000002
【特許請求の範囲】
【請求項１】
衛生用薄葉紙を内部に収納する容器本体と、前記容器本体に着脱自在に取り付けられ、上面に孔部が形成された蓋体と、前記蓋体に着脱自在に設けられ、前記容器本体内部に収納された衛生用薄葉紙を取り出す取出孔を備えた取出部と、を備える衛生用薄葉紙収納容器であって、
前記蓋体は、前記孔部の下方に位置し、前記孔部と重なるように前記取出部の下面を下方に抜けないように保持する保持部を備えることを特徴とする衛生用薄葉紙収納容器。
【請求項２】
前記保持部は、前記取出部を前記孔部の開口面に平行な方向から挿入できるように形成されていることを特徴とする請求項１に記載の衛生用薄葉紙収納容器。
【請求項３】
前記取出部は、前記取出孔と前記孔部が平面視で重なる位置と、前記孔部を閉塞させる位置との間を、切換え可能に形成されていることを特徴とする請求項１又は２に記載の衛生用薄葉紙収納容器。
【請求項４】
前記取出部は、大きさの異なる複数の前記取出孔を備え、
何れか一の前記取出孔を選択的に前記孔部と重なる位置に前記保持部に保持可能に構成されていることを特徴とする請求項１〜３の何れか一項に記載の衛生用薄葉紙収納容器。
【発明の詳細な説明】
【技術分野】
【０００１】
本発明は、ウェットシートやウェットティッシュ等の衛生用薄葉紙を収納する衛生用薄葉紙収納容器に関する。
【背景技術】
【０００２】
従来、家屋の床やトイレ、或いは人体などを拭くための衛生用薄葉紙を収納する衛生用薄葉紙収納容器が知られている。
このような衛生用薄葉紙収納容器として、当該収納容器に設けられた孔部に、取出孔を備えた取出部を着脱可能に備え、この取出孔により衛生用薄葉紙に抵抗を掛けて、衛生用薄葉紙に設けられたミシン目にて衛生用薄葉紙を切り離す構成のものが知られている（例えば、特許文献１参照）。
【先行技術文献】
【特許文献】
【０００３】
【特許文献１】特開２０１２−１９２９６２号公報
【発明の概要】
【発明が解決しようとする課題】
【０００４】
しかしながら、上記特許文献１記載の構成は、取出部（特許文献１においては、「取り出し孔形成部材」としている。）を、蓋体に設けられた保持部に下から嵌め込む構成であるため、取出部が上方からの力で落下し易いものであった。このため、次の衛生用薄葉紙が取出し辛い状態となり、これを無理に取り出そうとして取出部に下方への力が作用した場合等に、取出部が容器内部に落下することがあった。そして、取出部が容器内部に落下した場合には、容器内部からこれを取り出して再び装着する必要があり、この作業には非常に手間がかかることから、使い勝手が悪かった。
【０００５】
本発明の課題は、使い勝手の良い衛生用薄葉紙収納容器を提供することである。
【課題を解決するための手段】
【０００６】
上記課題を解決するために、請求項１に記載の発明は、
衛生用薄葉紙を内部に収納する容器本体と、前記容器本体に着脱自在に取り付けられ、上面に孔部が形成された蓋体と、前記蓋体に着脱自在に設けられ、前記容器本体内部に収納された衛生用薄葉紙を取り出す取出孔を備えた取出部と、を備える衛生用薄葉紙収納容器であって、
前記蓋体は、前記孔部の下方に位置し、前記孔部と重なるように前記取出部の下面を下方に抜けないように保持する保持部を備えることを特徴とする。
【０００７】
また、請求項２に記載の発明は、請求項１に記載の衛生用薄葉紙収納容器において、
前記保持部は、前記取出部を前記孔部の開口面に平行な方向から挿入できるように形成されていることを特徴とする。
【０００８】
また、請求項３に記載の発明は、請求項１又は２に記載の衛生用薄葉紙収納容器において、
前記取出部は、前記取出孔と前記孔部が平面視で重なる位置と、前記孔部を閉塞させる位置との間を、切換え可能に形成されていることを特徴とする。
【０００９】
また、請求項４に記載の発明は、請求項１〜３の何れか一項に記載の衛生用薄葉紙収納容器において、
前記取出部は、大きさの異なる複数の前記取出孔を備え、
何れか一の前記取出孔を選択的に前記孔部と重なる位置に前記保持部に保持可能に構成されていることを特徴とする。
【発明の効果】
【００１０】
本発明によれば、使い勝手の良い衛生用薄葉紙収納容器を提供することができる。
【図面の簡単な説明】
【００１１】
【図１】実施の形態に係る衛生用薄葉紙収納容器を正面上方から見た斜視図である。なお、図１では容器本体下部の図示を省略している。
【図２】図１のＩＩ−ＩＩ部における蓋体の断面図である。
【図３】実施の形態に係る衛生用薄葉紙収納容器における保持部の好ましい形態を表す斜視図である。
【図４】実施の形態に係る衛生用薄葉紙収納容器における取出部の好ましい形態を表す斜視図である。
【発明を実施するための形態】
【００１２】
以下、本発明の実施の形態たる衛生用薄葉紙収納容器の具体的な態様について、図１ないし図４に基づいて説明する。ただし、本発明の技術的範囲は、図示例に限定されるものではなく、あくまで特許請求の範囲の記載を基に判断される。
【００１３】
（実施形態の構成）
（全体構成）
衛生用薄葉紙収納容器１は、図１に示すように、衛生用薄葉紙Ｐ（例えば、ロール状に巻かれたウェットシートやウェットティッシュ等のロールペーパー）を内部に収納する容器本体２と、容器本体２に着脱自在に取り付けられ、上面に第一孔部３１ｄが形成された蓋体３と、容器本体２の内部に収納された衛生用薄葉紙Ｐを取り出すための取出孔４ａを備え、第一孔部３１ｄの下方に取り付けられる取出部４と、を備えて構成されている。
衛生用薄葉紙Ｐは、上下方向に沿った軸心にロール状に巻かれた状態で容器本体２に収納されている。また、衛生用薄葉紙Ｐには、長さ方向に一定間隔をおいてミシン目が施されており、そのミシン目に沿って切り離した衛生用薄葉紙Ｐを、ユーザが使用するようになっている。
また、蓋体３が、容器本体２に対して着脱自在に構成されているため、容器本体２から蓋体３を取り外した状態で、容器本体２の内部に上記衛生用薄葉紙Ｐを収納したり、内部から衛生用薄葉紙Ｐを取り出したりすることができる。
なお、以下の説明では、衛生用薄葉紙収納容器１の前後方向をＸ軸方向として、小蓋３２が蓋体本体３１に支持されている側を後方側とし、その反対側を前方側とする。また、正面視にて左右方向（幅方向）をＹ軸方向とし、上下方向をＺ軸方向とする。
【００１４】
（容器本体）
容器本体２は、衛生用薄葉紙Ｐを収納するための容器であり、有底円筒形上に形成され、上面には開口部が設けられている。また、側面の上端部の外周面には、周方向に沿って雄ネジ部（図示省略）が設けられている。
この容器本体２は、例えば、ＰＥ（ポリエチレン）、ＰＰ（ポリプロピレン）、ＰＥＴ（ポリエチレンテレフタレート）、ＡＢＳ樹脂等から形成されている。
【００１５】
（蓋体）
蓋体３は、容器本体２内部の気密性を保つためのものであり、図１及び図２に示すように、蓋体本体３１と、小蓋３２と、保持部３３と、から形成される。
この蓋体３は、例えば、ＰＥ（ポリエチレン）、ＰＰ（ポリプロピレン）、ＰＥＴ（ポリエチレンテレフタレート）、ＡＢＳ樹脂等から形成されている。
【００１６】
蓋体本体３１は、下面が開放された円筒形状をなし、天面部３１ａと、側面部３１ｂと、天面部３１ａの平面視内周側に下方に向けて凹状に形成される凹部３１ｃと、蓋体本体３１の平面視略中央に位置し、衛生用薄葉紙収納容器１内部に通じる第一孔部３１ｄと、凹部３１ｃ内において第一孔部３１ｄを囲むように円筒形状に立設された本体側壁部３１ｅと、を備えている。側面部３１ｂの下端部の内周面には、容器本体２の雄ネジ部と螺合する雌ネジ部が設けられている。
【００１７】
凹部３１ｃは、閉塞時の小蓋３２と平面視における形状が略一致し、小蓋３２を嵌めることができるように形成されている。また、凹部３１ｃは、前端部が平面視において小蓋３２よりも大きく、小蓋３２が嵌められた状態でも若干の隙間が残るように形成されている。これによって、当該隙間を利用して小蓋３２に指を掛けることが可能となる。
【００１８】
本体側壁部３１ｅは、第一孔部３１ｄの周囲を囲むように、凹部３１ｃ内において円筒形状に上方に向けて延出して形成されている。この本体側壁部３１ｅは、外径が小蓋３２に形成される小蓋側壁部３２ａの内径と同一か、ごく僅かに小さくなるように形成されている。
【００１９】
小蓋３２は、後端部において蓋体本体３１と連結され、閉塞時における下面から突出した小蓋側壁部３２ａを備える。この小蓋３２は、閉塞時の平面視における形状が凹部３１ｃと略一致し、凹部３１ｃに嵌めることができるように形成されている。
小蓋側壁部３２ａは、小蓋３２の閉塞時において下方に向け延出する円筒形状に形成されている。また、この小蓋側壁部３２ａは、内径が本体側壁部３１ｅの外径と同一か、ごく僅かに大きくなるように形成されている。これによって、小蓋３２の閉塞時に、小蓋側壁部３２ａと本体側壁部３１ｅとが嵌合し、小蓋側壁部３２ａと本体側壁部３１ｅとで囲まれた空間、ひいては当該空間と第一孔部３１ｄを介して繋がる衛生用薄葉紙収納容器１内部の空間の気密性を保つことができる。
【００２０】
なお、上記とは反対に、本体側壁部３１ｅの内径が小蓋側壁部３２ａの外径と同一か、ごく僅かに大きくなるように形成し、小蓋側壁部３２ａの外径が本体側壁部３１ｅの内径と同一か、ごく僅かに小さくなるように形成することで、本体側壁部３１ｅと小蓋側壁部３２ａとが嵌合するように構成してもよい。
また、本実施形態では、共に円筒形状に形成された、本体側壁部３１ｅと小蓋側壁部３２ａとを嵌合させることによって、衛生用薄葉紙収納容器１内部の気密性を保つよう構成しているが、衛生用薄葉紙収納容器１の内部の気密性を保つことが可能であれば、上記の構成に限定されるものではない。
特に、本実施形態においては、後述のように取出部４を摺動させることで、取出孔４ａを塞ぐことができるよう構成されていることから、取出部４を摺動させて取出孔４ａを塞いだ際の気密性が十分であれば、他に特に気密手段を備えない構成とすることも可能である。
【００２１】
保持部３３は、取出部４を第一孔部３１ｄの下方から保持するためのものであり、図２に示すように、蓋体本体３１の衛生用薄葉紙収納容器１内部側の、第一孔部３１ｄの直下に備えられている。
保持部３３は、図３（ａ）に示すように、下面壁部３３ａ、後側面壁部３３ｂ、左側面壁部３３ｃ、右側面壁部３３ｄから形成されている。また、下面壁部３３ａには、第二孔部３３ｅが設けられている。上面及び前側面には壁部は設けられず、上面開口部３３ｆ及び前側面開口部３３ｇが形成されている。そして、保持部３３は、上面開口部３３ｆを塞ぐように、蓋体本体３１の下面に固定される。
なお、本実施形態においては前側面を開口部としたが、前側面の代わりに、後側面、左側面、右側面の何れかを開口部とすることも可能である。
また、蓋体本体３１と保持部３３とは一体成型されていてもよい。
【００２２】
保持部３３は、第一孔部３１ｄと、第二孔部３３ｅが平面視で重なり、衛生用薄葉紙収納容器１の外部空間と内部空間との間に上下方向（Ｚ軸方向）に貫通部が形成されるように、蓋体本体３１の衛生用薄葉紙収納容器１内部側に固定されている。なお、第二孔部３３ｅの形状は、図３（ａ）においては平面視円形状としたが、これに限定されず、上記貫通部を形成しうるものであればよく、例えば、Ｘ軸方向又はＹ軸方向に形成された溝状とし、その一部において第一孔部３１ｄと平面視で重なるよう構成してもよい。
【００２３】
なお、保持部３３の形状は、第一孔部３１ｄの直下において取出部４の下面を保持し、取出部４の衛生用薄葉紙収納容器１内部への落下を防止することができ、かつ、取出部４をＸＹ平面上の何れかの方向に摺動させることができるものであればよく、上記の形状に限定されるものではない。例えば図３（ｂ）に示すように、複数の爪部３３ｈ・・・によって、取出部４を保持する形状とすることも可能である。
【００２４】
（取出部）
取出部４は、取出孔４ａを備え、衛生用薄葉紙Ｐを衛生用薄葉紙収納容器１内部から取り出すと共に、これをミシン目に沿って切り離すために用いられるものであり、例えば、シリコンゴムにより成型されてなる弾性変形可能な部材である。シリコンゴムは、耐久性に優れており、衛生用薄葉紙Ｐを詰め替えて衛生用薄葉紙収納容器１を繰り返し使用する場合でも、取出部４の弾性変形性は維持されるので、長期に亘って好適に衛生用薄葉紙Ｐを取り出すことを可能にする。また、シリコンゴムは、耐薬品性に優れているので、ウェットタイプの衛生用薄葉紙Ｐに染み込まされている薬液が含有するアルコールなどによって変質してしまうことがなく、長期に亘る使用が可能になる。
なお、取出部４に用いる材料は、シリコンゴムに限らず、軟質樹脂材料であるスチレン−ブタジエン系、ポリエステル系、ポリエチレン系、ウレタン系等の熱可塑性エラストマーを使用することができる。また、その他の任意の樹脂材料で取出部４を形成してもよい。
【００２５】
取出部４は、図４（ａ）に示すように、略直方体状に形成され、前後方向（Ｘ軸方向）において取出部４の後方側であり、左右方向（Ｙ軸方向）において取出部４の略中央に位置する部分に、取出孔４ａを備えている。
【００２６】
取出部４は、ＹＺ平面と平行な断面において、保持部３３の内部形状と同一の形状かごく僅かに小さくなるよう形成されており、保持部３３に、前側面開口部３３ｇから、取出孔４ａが備えられた側を後方に向けて挿入される。これによって、取出部４は、Ｚ軸方向の動きが蓋体本体３１及び保持部の下面壁部３３ａによって制限されると共に、Ｙ軸方向の動きが左側面壁部３３ｃ及び右側面壁部３３ｄによって制限され、Ｘ軸方向（前後方向）にのみ摺動可能に、保持部３３の内部に保持されることとなる。
【００２７】
取出部４には、前端部に下方に延出するつまみ部４ｂが形成されている。従って、蓋体３を容器本体２から外し、衛生用薄葉紙収納容器１内部側からつまみ部４ｂをつかむことにより、容易に取出部４を摺動させることができる。
なお、つまみ部４ｂを設けずに、直接取出部４の前端部を左右方向から掴んでこれを摺動させるよう構成することも可能である。
【００２８】
取出孔４ａは、上下方向（Ｚ軸方向）に取出部４を貫通して形成される孔であり、衛生用薄葉紙Ｐが通過可能な大きさであって、衛生用薄葉紙Ｐが通過する際にこれを絞るとともに、ミシン目に沿って切断することができるような摩擦抵抗を衛生用薄葉紙Ｐに対して付与することができるように形成されている。
本実施形態においては、取出孔４ａは、図４（ａ）に示すように、取出部４に２本の切り込みを入れることによって十字状に形成されている。なお、取出孔４ａの形状は、これに限られず、上記のように衛生用薄葉紙Ｐに抵抗を与え、ミシン目に沿ってこれを切り離すことが可能であれば、任意の形状を選択可能である。
【００２９】
取出孔４ａは、上記のように取出部４の後方側に形成されており、取出部４を保持部３３に対し最も後方側まで挿入した状態、すなわち、取出部４の後端部が保持部３３の後側面壁部３３ｂと接するか、又は取出部４のつまみ部４ｂが保持部３３の下面壁部３３ａの前端部と接した状態において、第一孔部３１ｄより後方に位置するよう形成されている。
これによって、取出部４を最も後方側まで摺動させた状態では、取出孔４ａは蓋体本体３１によって閉じられることとなる。この状態から取出部４を前方に摺動させると、第一孔部３１ｄと取出孔４ａが平面視で重なり、さらに上記のように第二孔部３３ｅも平面視で第一孔部３１ｄと重なる位置にあることから、衛生用薄葉紙収納容器１の内部と外部をＺ軸方向につなぐ貫通部が形成されることとなる。
【００３０】
なお、取出部４の形状は、上記の略直方体状に限定されず、例えば図４（ｂ）に示すように、平面視において同一直径の円を二つつなげた形状をなし、当該円の一方に取出孔４ａが備えられるように形成してもよい。この場合、Ｙ軸方向の長さが最大となる部分（上記円の直径と一致する部分）において、取出部４のＹＺ平面と平行な断面における形状が、保持部３３の内部形状と略同一の形状か僅かに小さくなるよう形成される。また、この場合、取出孔４ａが備えられた側の円を後方に向けて、取出部４が保持部３３に挿入されることとなる。
【００３１】
また、取出部４に備えられる取出孔４ａの数は、一つには限られない。例えば図４（ｃ）に示すように、取出部４に大きさの異なる複数の取出孔４ａ・・・を備え、取出部４の摺動に伴い、順次これらを第一孔部３１ｄの下方に位置させることができるよう構成することも可能である。
これによって、取出部４の摺動によって、複数の大きさの取出孔４ａ・・・を選択的に使用可能となる。
【００３２】
（実施形態の作用）
次に、衛生用薄葉紙収納容器１の作用について説明する。
【００３３】
まず、衛生用薄葉紙Ｐを使用しない場合、特に長期間に亘って使用しない場合には、小蓋３２を閉じると共に、取出部４を後方側に摺動させ、取出孔４ａの位置が、平面視において第一孔部３１ｄと重ならないようにしておく。そうすると、取出孔４ａは蓋体本体３１によって覆われ、衛生用薄葉紙収納容器１の内部空間と外部空間との間に、Ｚ軸方向の貫通部は存在しなくなる。また、上記のように取出部４は、ＹＺ平面と平行な断面において、保持部３３の内部形状と略同一の形状となるように形成されており、さらに、上記のように取出部４はシリコンゴム等の弾性変形可能な部材によって形成されることから、上面側（蓋体本体側）の密着性も確保しやすい。
従って、本実施形態によれば、小蓋３２のみによって取出孔４ａを密閉する場合と比較して、衛生用薄葉紙収納容器１内部の気密性を向上し、不使用時における衛生用薄葉紙Ｐの乾燥を防止することができる。
なお、取出部４を摺動させる作業は、原則として容器本体２から蓋体３を外し、衛生用薄葉紙Ｐを取出孔４ａから外した後に、蓋体３の衛生用薄葉紙収納容器１内部側から、つまみ部４ｂを用いて行うこととなる。
【００３４】
次に、衛生用薄葉紙Ｐを上記の不使用時の状態から使用可能な状態とする場合には、取出部４を前方側に摺動させ、取出孔４ａの位置が、平面視で第一孔部３１ｄと重なるようにする。そうすると、取出孔４ａが蓋体本体３１によって覆われることがなくなり、第一孔部３１ｄ、取出孔４ａ、及び第二孔部３３ｅが平面視で重なり、衛生用薄葉紙収納容器１の内部空間と外部空間との間に、Ｚ軸方向の貫通部が形成される。
なお、この場合も、取出部４を摺動させる作業は、原則として容器本体２から蓋体３を外し、蓋体３の衛生用薄葉紙収納容器１内部側から、つまみ部４ｂを用いて行うこととなる。
【００３５】
さらに、蓋体３の衛生用薄葉紙収納容器１内部側から、衛生用薄葉紙Ｐを取出孔４ａに通し、再び蓋体３を容器本体２に固定する。これによって、内部に収納された衛生用薄葉紙Ｐの１枚目の端部は、取出孔４ａを挿通し、取出孔４ａにより保持された状態となる。
この後は、衛生用薄葉紙Ｐの使用の際には、使用者は、取出孔４ａにより保持された衛生用薄葉紙Ｐを上方に引っ張ることで、衛生用薄葉紙Ｐを引き出した後、衛生用薄葉紙Ｐをミシン目で切り離し、これを使用することとなる。この際、次の衛生用薄葉紙Ｐは取出孔４ａによって保持されており、連続した使用が可能となる。
【００３６】
（実施形態の効果）
本実施形態によれば、取出部４は保持部３３にＸ軸方向から挿入されることから、保持部３３の下面側には、衛生用薄葉紙Ｐが通過可能な大きさの開口部さえ設ければよく、取出部４を挿入可能な大型の開口部を設ける必要はない。
従って、衛生用薄葉紙Ｐの使用に際して、使用者が誤って取出部４に上方から押圧を掛けたとしても、取出部４の下方には下面壁部３３ａが存在し、取出部４の下方向への動きはこれによって妨げられることから、取出部４が押し込まれて、衛生用薄葉紙収納容器１内部に落下することはない。
【００３７】
また、本実施形態によれば、取出部４は、Ｘ軸方向（前後方向）に摺動可能に形成されている。
従って、取出部４を摺動させることで、取出孔４ａと第一孔部３１ｄの平面視における位置関係を変えることができ、これを一致させることで衛生用薄葉紙Ｐが通る貫通部を形成することができ、また、これが一致しないようにすることで、上記貫通部をなくすことができる。これによって、衛生用薄葉紙収納容器１の不使用時の密閉性を向上し、衛生用薄葉紙Ｐの乾燥を防止することができる。
【００３８】
また、本実施形態によれば、取出孔４ａと第一孔部３１ｄの平面視における位置関係を変え、これらが重なる面積を変えることで、衛生用薄葉紙Ｐが挿通する貫通部の平面視における面積を変えることができる。すなわち、取出孔４ａの全体が第一孔部３１ｄと重なるようにすれば貫通部の平面視における面積が最大となり、重なる部分を小さくしていくほど、貫通部の平面視における面積は小さくなる。
これによって、衛生用薄葉紙Ｐを引き出す際に掛かる抵抗を調整し、使用者は、好みに合致した使い心地で衛生用薄葉紙収納容器１を使用可能となる。
なお、図４（ｃ）に示されるように、取出部４に大きさの異なる複数の取出孔４ａ・・・が備えられように構成した場合には、取出孔４ａ・・・と第一孔部３１ｄの位置関係を微調整せずとも、使用する取出孔４ａ・・・を切り替えることで、容易に衛生用薄葉紙Ｐを引き出す際に掛かる抵抗を調整することが可能となる。
【００３９】
また、本実施形態によれば、保持部３３に側面側から挿入するのみの単純な構造により、取出部４を、蓋体本体３１の第一孔部３１ｄの下方に保持可能である。従って、例えば特許文献１記載の発明のように取出部をこれと略一致する形状に作られた保持空間に下方から嵌め込む場合等と比較して、取出部４の着脱が容易となる。
なお、本実施形態においては、第一孔部３１ｄの開口面に平行な方向から取出部４を保持部３３に挿入する構成としたが、これに限定されず、取出部４の下面を下方に抜けないように保持することが可能であれば、どのような構成であってもよい。
【符号の説明】
【００４０】
１  衛生用薄葉紙収納容器
２  容器本体
３  蓋体
３１ｄ  第一孔部（孔部）
３３  保持部
４  取出部
４ａ  取出孔
Ｐ  衛生用薄葉紙
【図１】
2018052567.tif 000003
【図２】
2018052567.tif 000004
【図３】
2018052567.tif 000005
【図４】
2018052567.tif 000006